(57)【要約】【課題】  不用意な衝撃等によりセンサが振動を検出することを防止できるようにすること。【解決手段】  打面３０Ａを形成する表層体３０及びこれの裏面側に設けられたセンサ３４を含むパッドユニット１２と、このパッドユニット１２を受容する受容部１８を備えたケース１１とを備えて電子打楽器１０が構成されている。受容部１８は底壁部２２を備え、この底壁部２２上に複数の支持部材３５を介して表層体３０が支持されている。各支持部材３５は、表層体３０の厚み方向に沿って軸線が延びる筒状をなす中空形状とされ、ケース１１に衝撃が加わったときに、当該衝撃による振動を弾性変形して吸収する。【選択図】      図４
2007025093.tif 000002
【特許請求の範囲】
【請求項１】
所定の保持体上に設けられるとともに、表面側で打面を形成する表層体と、この表層体の裏面側に設けられて振動を検出可能なセンサとを備えた電子打楽器において、
前記表層体は、前記保持体に複数の支持部材を介して支持され、当該支持部材は、弾性変形可能に設けられるとともに、中空形状に形成されていることを特徴とする電子打楽器。
【請求項２】
前記支持部材は、表層体の厚み方向に沿って軸線が延びる筒状に形成されていることを特徴とする請求項１記載の電子打楽器。
【請求項３】
前記支持部材は、熱可塑性エラストマーにより構成されていることを特徴とする請求項１又は２記載の電子打楽器。
【発明の詳細な説明】
【技術分野】
【０００１】
本発明は、電子打楽器に係り、更に詳しくは、意図しない振動をセンサが検出することを抑制することができる電子打楽器に関する。
【背景技術】
【０００２】
福祉施設や医療施設においては、後遺症を持つ人や高齢者の運動機能の低下抑制、回復を図るためにリハビリテーションが行われている。このようなリハビリテーションは、負荷が弱い運動や専用器具を用いた簡単な操作を長期間に亘って行う必要があるものの、同じ運動や操作の繰り返しとなるために継続性を維持することが困難となる。そこで、近時では、リハビリテーションの継続性を高めるべくアミューズメント性を有するプログラムが利用されつつある。このプログラムにおいて、療法士の指示により、複数人の高齢者等が比較的簡単な楽器を用いて合奏するタイプのものがあり、かかる楽器として、手の平に載せながら演奏可能なサイズの電子打楽器を利用することが考えられる。
【０００３】
前記電子打楽器としては、ケースと、このケースの表面側で打面を形成するゴム板状の表層体と、この表層体の裏面側に設けられるとともに、振動を検出して電気信号を出力可能なピエゾ素子からなるセンサと、このセンサに所定の音源やアンプ等を含む制御装置を介して接続されるスピーカとを備えた構成が例示できる。電子打楽器の演奏は、指先や手の平等により打面を叩くことにより行われ、表層体の振動をセンサが検出したときにスピーカから電気音が再生される。
ここで、表層体をケースに保持する形態としては、ケースの外面側に表層体の裏面を接着する形態、或いは、表層体の裏面に当該裏面から突出する複数の柱状体を一体成形し、各柱状体の先端側をケースに固定する形態が考えられる。
【発明の開示】
【発明が解決しようとする課題】
【０００４】
しかしながら、このような保持形態では、ケースに衝撃が付与されると、当該衝撃による振動がケースを介して表層体に伝播し、その振動をセンサが検出して意図しない再生音が発生してしまうという不都合がある。ここで、前述の柱状体を有する形態では、当該柱状体が弾性変形すれば、ある程度振動吸収することとなるが、柱状体は中実であるために振動によって変形し難くなり、十分な振動吸収を行えなくなるという不都合を招来する。
【０００５】
［発明の目的］
本発明は、このような不都合に着目して案出されたものであり、その目的は、不用意な衝撃等によりセンサが振動を検出することを防止することができる電子打楽器を提供することにある。
【課題を解決するための手段】
【０００６】
前記目的を達成するため、本発明は、所定の保持体上に設けられるとともに、表面側で打面を形成する表層体と、この表層体の裏面側に設けられて振動を検出可能なセンサとを備えた電子打楽器において、
前記表層体は、前記保持体に複数の支持部材を介して支持され、当該支持部材は、弾性変形可能に設けられるとともに、中空形状に形成される、という構成が採用されている。
【０００７】
本発明において、前記支持部材は、表層体の厚み方向に沿って軸線が延びる筒状に形成される、という構成を採ることが好ましい。
【０００８】
更に、前記支持部材は、熱可塑性エラストマーにより構成されるとよい。
【０００９】
なお、本明細書及び特許請求の範囲において、特に明示しない限り、「表面」とは、図３中上側について用いられる一方、「裏面」とは、同図中下側について用いられる。また、本明細書中、「上」及び「下」は、図３を基準として用いられる。
【発明の効果】
【００１０】
本発明によれば、支持部材を中空形状としたので、当該中空領域を縮小したり変形したりさせながら支持部材を弾性変形させることができ、当該変形の自由度を高めることが可能となる。これにより、保持体側に衝撃が加わっても、当該衝撃による振動に対してレスポンス良く支持部材を変形させることができる。つまり、表層体以外の構成部材から伝播する振動を支持部材で効果的に吸収することができ、センサにおける意図しない振動検出を抑制して不用意なる再生音が生じることを防止することが可能となる。
【００１１】
また、支持部材を筒状としたので、その軸線方向だけでなく当該軸線が傾くように支持部材が弾性変形し易くなり、種々の方向からの振動をフレキシブルな変形により効率良く吸収することが可能となる。
【００１２】
更に、熱可塑性エラストマーにより支持部材を構成した場合、支持部材の強度及び伸度をバランス良く発揮して形状復元性を良好に得ることができ、保持体側に連続した衝撃が付与されても、振動吸収効果を良好に奏することが可能となる。
【発明を実施するための最良の形態】
【００１３】
以下、本発明の好ましい実施の形態について図面を参照しながら説明する。
【００１４】
図１には、実施形態に係る電子打楽器の概略斜視図が示され、図２には、図１の平面図が示されている。また、図３には、一部構成を省略した図１のＡ−Ａ線に沿う断面図が示され、図４には、図３の要部拡大図が示されている。これらの図において、電子打楽器１０は、平面視略長方形状をなすケース１１と、このケース１１の表面側に設けられたパッドユニット１２と、ケース１１内に配置されてパッドユニット１２に隣り合うスピーカ１３とを備えて構成されている。
【００１５】
前記ケース１１は、図示しないねじ等を介して相互に組み合わされる上ケース体１５及び下ケース体１６を備えて構成されている。上ケース体１５は、スピーカ１３の上方に形成されて当該スピーカ１３からの再生音が通過する多数の孔１７と、前記パッドユニット１２を受容する受容部１８と、受容部１８及び孔１７の周りに設けられた複数の発光体１９とを表面側に備えている。発光体１９は、後述する制御装置に接続されており、当該制御装置を介して点灯、消及び点滅するようになっている。
【００１６】
前記受容部１８は、図３及び図４に示されるように、上ケース体１５の表面側から垂下する円筒状の周壁部２１と、この周壁部２１の下端側に連設された保持体としての底壁部２２とを備えている。図５にも示されるように、底壁部２２の面内中央部には平面視略円形の開口２３が形成され、この開口２３は、パッドユニット１２の裏側とスピーカ１３との間で開放するようになっている。底壁部２２の周方向に沿う約１２０°間隔位置には、丸穴２４がそれぞれ形成されている。
【００１７】
底壁部２２の下面には、開口２３を閉塞する音干渉防止部材２６が接着等により取り付けられている。音干渉防止部材２６は、略円状の平面形状をなすシート状部材とされ、入射される音の振動を減衰させる発泡材により構成されている。また、音干渉防止部材２６の外周側には、前記各丸穴２４を囲うように三つの切欠２７が形成されている。
【００１８】
前記パッドユニット１２は、円盤状の表層体３０と、この表層体３０の裏面側に接着や両面テープ等により取り付けられた補強板３１と、表層体３０の裏面及び補強板３１の裏面に沿う位置に設けられた板状体３２と、この板状体３２の裏面側に設けられたセンサ３４とを備えて構成されている。パッドユニット１２は、前記周壁部２１及び底壁部２２と非接触となるように三つの支持部材３５を介して底壁部２２に支持されている。
【００１９】
前記表層体３０は、ゴム等の弾力性を有する板状部材からなり、上ケース体１５の表面に沿う位置に表面側が位置するとともに、当該表面側で打面３０Ａを形成するようになっている。一方、前記補強板３１は、樹脂板や薄い金属板等からなり、表層体３０と略同一の平面形状に形成されて当該表層体３０を下面から支持するように設けられている。補強板３１の裏面側における面内中央部には、下方に突出する突起３６が連設されている。この突起３６は、略半球面状に形成されるとともに、その球面領域下部が板状体３２表面へ接触するようになっている。突起３６は、補強板３１と別体として当該補強板３１の裏面に接着等を介して固着したり、プレス成形等により一体的に形成してもよい。
【００２０】
前記板状体３２は、補強板３１と略同一の平面形状及び材質により構成され、当該補強板３１との間に隙間Ｓを介して略平行となる位置に設けられている。隙間Ｓの上下幅は、突起３６が板状体３２表面に接触するように当該突起３６の突出高さと略同一に設定されている。隙間Ｓ内には、丸い薄片状の隙間維持部材３８が三箇所に設けられ、各隙間維持部材３８は、板状体３２の周方向に沿う約１２０°間隔位置に散点的に配置されている。各隙間維持部材３８は、オイルを含有したブチルゴム等の粘着性及び柔軟性を有する材料を用いて構成され、隙間Ｓの上下幅を突起３６の突出高さに維持するととともに、突起３６と板状体３２表面との接触状態を常時保つように設けられている。
【００２１】
前記センサ３４は、板状体３２より小さい平面積を有する円盤状に形成され、隙間維持部材３８と略同一の材質からなるゴムシート３９を介して板状体３２の裏面側における面内中央領域に取り付けられている。センサ３４は、振動を検出可能なピエゾ素子により構成され、ケーブル（図示省略）を介して後述する制御装置に接続されている。
【００２２】
前記各支持部材３５は、本実施形態では、弾性変形可能な熱可塑性エラストマーにより構成されている。この熱可塑性エラストマーについて更に詳述すると、素材となる高分子材料を溶融させて成形されるものであり、分子内に架橋がなく分子内の硬質層の分子グループにより分子を拘束状態にして流動防止したものである。各支持部材３５は、表層体３０の厚み方向、すなわち、上下方向に沿って軸線が延びる円筒状をなす中空形状に形成されている。各支持部材３５は、その上端側で接着等を介して板状体３２に取り付けられている。また、各支持部材３５は、外周面側に周溝４１をそれぞれ備えており、当該周溝４１が前記丸穴２４と嵌り合って支持部材３５が底壁部２２に装着される。なお、各支持部材３５の下端部は、前記音干渉防止部材２６の切欠２７内に位置するようになっている。
【００２３】
前記スピーカ１３は、上側に向かって音を再生する公知の構造が採用されている。スピーカ１３は、ケーブル（図示省略）を介してケース１１内に設けられた制御装置（図示省略）に接続されている。ここで、前記制御装置は、所定の電源や電子音源、増幅器等を備えてスピーカ１３、センサ３４及び各発光体１９を制御可能に設けられ、センサ３４から出力された電気信号に応じ、電子音を再生する信号をスピーカ１３に出力したり、前記各発光体１９を点滅等させる指令信号を出力可能に設けられている。
【００２４】
以上の構成において、前記電子打楽器１０を用いた演奏は、表層体３０の打面３０Ａを指先や手の平等で打撃することにより行われる。この打撃により、表層体３０及び補強板３１が振動し、当該振動が突起３６を経由して板状体３２及びセンサ３４の各面内中央部に集中的に付与される。つまり、打面３０Ａの外周寄りを打撃した場合であっても、突起３６の形成位置となるセンサ３４の面内中央部に振動が付与され、当該振動がセンサ３４により安定的に検出される。そして、センサ３４が所定値より大きい振動を検出したときに、スピーカ１３から再生音が放射される。
ここで、打面３０Ａに対して傾いた方向から打撃した場合、突起３６が半球面状をなすので、振動の方向が、板状体３２表面と突起３６との接触点における当該突起３６の径方向、すなわち、上下方向に沿うように補正されてセンサ３４に付与される。換言すれば、打面３０Ａの打撃する向きを変えても、振動の向きが均一化されることとなり、センサ３４における振動の検出感度を安定させることができる。
また、前記打撃時において、各隙間維持部材３８は、打撃の圧力によって変形するものの、補強板３１裏面と板状体３２表面とが離れた状態としつつ当該板状体３２表面に突起３６が接触した状態を保つとともに、前記打撃後速やかに復元して隙間Ｓの上下幅を初期状態に維持する。
【００２５】
ここで、スピーカ１３から音を発生したときに、ケース１１内にも音が放射されるが、前記音干渉防止部材２６により前記開口２３を通じてセンサ３４側に音が伝播することを抑制することができる。これにより、センサ３４において、スピーカ１３の再生音による振動検出を防止することができ、スピーカ１３から意図しない音が生じることを回避することが可能となる。
【００２６】
ところで、演奏中に、ケース１１等に意図しない衝撃が付与された場合、当該衝撃によってケース１１が振動する。このとき、パッドユニット１２側に向かって伝播する振動は、前記各支持部材３５の弾性変形により吸収されることとなる。すなわち、支持部材３５が円筒状をなすので、上下方向に沿う振動に対しては、各支持部材３５が上下に伸縮して振動吸収が行われ、図３中横方向に沿う振動に対しては、その内部空間を変形させながら軸線が傾くように変形して振動吸収が行われる。これにより、打面３０Ａの打撃以外の外力では支持部材３５が柔軟且つレスポンス良く変形して振動吸収されるで、当該振動をセンサ３４が検出することを防止でき、これによっても、意図しない音が発生することを回避することが可能となる。
【００２７】
従って、このような実施形態によれば、音干渉防止部材２６や支持部材３５を設けたので、スピーカ１３の音量を比較的大きくしたり、ケース１１を不用意に叩いたりしても、意図しないタイミングで音が再生することを防止でき、演奏性や取扱性を向上させることが可能となる。これにより、指や手に障害があったり、聴力が低下した障害者や高齢者であっても利用し易くすることができ、リハビリテーション等に用いれば、その効果をより良く発揮することが期待できる。
【００２８】
また、打面３０Ａを叩く位置や向きを変えてもセンサ３４の感度が安定的に保たれるので、バリエーション豊かな叩き方で演奏を行えるようになり、操作性やアミューズメント性を高めて良好なリハビリテーション効果を奏することができる。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、支持部材３５の形成数は、底壁部２２上に複数設けられている限りにおいて増減してもよい。
また、支持部材３５の底壁部２２への装着形態は、種々の設計変更が可能であり、接着剤や粘着シート等を介して装着してもよい。
更に、前記底壁部２２を保持体としたが、支持部材３５を介して表層体３０を支持できる限りにおいて種々の設計が採用できる。
また、支持部材３５は、図示構成例とは異なる中空形状としてもよく、例えば、外形を直方体状として内部が中空となる形状としてもよい。
【図面の簡単な説明】
【００３１】
【図１】実施形態に係る電子打楽器の概略斜視図。
【図２】図１の平面図。
【図３】図１のＡ−Ａ線に沿う一部構成を省略した断面図。
【図４】図３の部分拡大図。
【図５】前記電子打楽器の要部を裏側から見た分解斜視図。
【符号の説明】
【００３２】
１０・・・電子打楽器、１１・・・ケース、１３・・・スピーカ、２２・・・底壁部（保持体）、２３・・・開口、２６・・・音干渉防止部材、３０・・・表層体、３０Ａ・・・打面、３１・・・補強板、３２・・・板状体、３４・・・センサ、３５・・・支持部材、３６・・・突起、３８・・・隙間維持手段、Ｓ・・・隙間
【図１】
2007025093.tif 000003
【図２】
2007025093.tif 000004
【図３】
2007025093.tif 000005
【図４】
2007025093.tif 000006
【図５】
2007025093.tif 000007